(57)【要約】      （修正有）【課題】内視鏡用手術用器具に対して容易に交換でき、さらに、他の目的として見やすくかつ操作の邪魔にならない内視鏡手術用器具の識別部材を提供する。【解決手段】識別部材１は、シャフト部５と、シャフト部５の先端部にある把持部４と、シャフト部５の後端部にあって把持部４を操作するためのハンドル部８とを有するリユーザブルタイプの鉗子３の識別に用いられる識別部材である。鉗子３は、ハンドル部８に設けられた回転ノブ７とシャフト部５に設けられた固定ノブ６とが着脱自在に形成されている。識別部材１は、表裏を貫通する貫通孔を有する板状の部材であり、貫通孔がシャフト部５に挿通されると共に、回転ノブ７と固定ノブ６との間に固定され、外部から視認可能な形状に形成されている。【選択図】図２
0003152591.tif 000002
【実用新案登録請求の範囲】
【請求項１】
シャフト部と、該シャフト部の先端部にある先端作動部と、該シャフト部の後端部にあって該先端作動部を操作するための操作部とを有し、該シャフト部と該操作部とが着脱自在である内視鏡手術用器具の識別に用いられる識別部材であって、
該内視鏡手術用器具は、該操作部に設けられた結合部とシャフト部に設けられた被結合部とが着脱自在に形成され、
該識別部材は、表裏を貫通する貫通孔を有する板状の部材であり、該貫通孔が該シャフト部に挿通されると共に、該結合部と該被結合部との間に固定され、外部から視認可能な形状に形成され、他の内視鏡手術用器具に用いられる識別部材と識別可能なように、内視鏡手術用具の種別に応じて任意の形状、模様又は色彩が施されていることを特徴とする識別部材。
【請求項２】
前記識別部材は、同一の形状で異なる色彩が施されていることを特徴とする請求項１記載の識別部材。
【請求項３】
前記内視鏡手術用器具は鉗子であり、前記結合部は前記シャフト部の中心軸を中心に回動自在に形成され、術者が指を掛けて回動可能なように凹形の指掛け部が設けられ、前記被結合部はシャフト部の軸方向に対して垂直な方向において該指掛け部の外方に突出しない形状に形成されており、
前記識別部材はシャフト部の軸方向に対して垂直な方向において該被結合部の外方に突出し、かつ、該指掛け部の外方に突出しない形状に形成されていることを特徴とする請求項１又は請求項２記載の識別部材。
【考案の詳細な説明】
【技術分野】
【０００１】
本考案は、複数の内視鏡手術用器具の識別に用いられる識別部材に関する。
【背景技術】
【０００２】
近年においては、外科手術として内視鏡を用いた手術が数多く行われている。例えば、前記内視鏡手術に用いられる処置具（内視鏡手術用器具）として使用されている鉗子は、シャフト部と、該シャフト部の先端部にある先端作動部と、該シャフト部の後端部にあって該先端作動部を操作するための操作部とを有しており、該先端作動部を体内に挿入することにより処置を行う。
【０００３】
前記先端作動部は、非常に小さいものが多く、術者は、使用する直前に手にとって間近で該先端作動部の種別をよく確認しなければならず、使用中も再確認をしなければならないこともあり、手術の際に時間がかかっていた。そのため、内視鏡手術用器具の識別を容易にするための識別標識を設けることが提案されている（例えば、特許文献１参照）。
【０００４】
しかしながら、前記識別標識は、内視鏡手術用器具自体に設けられているため、内視鏡手術用器具自体の設計変更が必要となる。
【先行技術文献】
【特許文献】
【０００５】
【特許文献１】実開平４−１３３８１０号公報
【考案の概要】
【考案が解決しようとする課題】
【０００６】
上記不都合を解消するために、内視鏡手術用器具に識別用のタグや後付の部品等を取り付けることが考えられる。
【０００７】
しかしながら、前記シャフト部及び前記先端作動部は、患者の体内に挿入されるため前記タグ等を取り付けることはできない。また、操作部に前記タグ等を取り付けると、内視鏡手術用器具の操作の邪魔になるという不都合がある。
【０００８】
ところで、近年では内視鏡手術用器具においてもリユーザブルタイプのものも多く使用されるようになってきている。かかるリユーザブルタイプの内視鏡手術用器具は、前記操作部と前記シャフト部と前記先端作動部とを取り外すことができ、必要に応じて該先端作動部を交換して使用するものとなっている。
【０００９】
従って、前記リユーザブルタイプの内視鏡手術用器具について特許文献１の識別標識を施す場合、シャフト部及び先端作動部ごとに識別可能となるように設計変更が必要となる。また、シャフト部、先端作動部と操作部はメーカーごとに互換性がない。そのため、複数のメーカーの器具を使用する医療現場では、統一的な取扱いが困難で、現場の使用者に混乱を与えるおそれがある。
【００１０】
本考案は、リユーザブルタイプの内視鏡手術用器具に対して汎用的に用いることができ、複数の内視鏡手術用器具を容易に識別可能な識別部材を提供することを目的とする。さらに、本考案は、他の目的として、見やすくかつ操作の邪魔にならない識別部材を提供することを目的とする。
【課題を解決するための手段】
【００１１】
かかる目的を達成するために、本考案の識別部材は、シャフト部と、該シャフト部の先端部にある先端作動部と、該シャフト部の後端部にあって該先端作動部を操作するための操作部とを有し、該シャフト部と該操作部とが着脱自在である内視鏡手術用器具の識別に用いられる識別部材であって、該内視鏡手術用器具は、該操作部に設けられた結合部とシャフト部に設けられた被結合部とが着脱自在に形成され、該識別部材は、表裏を貫通する貫通孔を有する板状の部材であり、該貫通孔が該シャフト部に挿通されると共に、該結合部と該被結合部との間に固定され、外部から視認可能な形状に形成され、他の内視鏡手術用器具に用いられる識別部材と識別可能なように、内視鏡手術用具の種別に応じて任意の形状、模様又は色彩が施されていることを特徴とする。
【００１２】
本考案の識別部材は、前記シャフト部と前記操作部とが着脱自在であるリユーザブル内視鏡手術用器具において、前記貫通孔が該シャフト部に挿通された状態で、該操作部に設けられた前記結合部と該シャフト部に設けられた前記被結合部との結合によって固定される構成となっている。また、前記識別部材は、前記シャフト部と前記操作部が結合する間から視認可能な構成となっている。
【００１３】
したがって、前記識別部材は、視認可能となっている部分の形状、模様又は色彩により、内視鏡手術用器具の品種の識別させることができる。また、前記識別部材は、前記結合部と前記被結合部との結合を解除することで容易に交換することができ、リユーザブルタイプの内視鏡手術用器具の前記先端作動部を交換する際に同時に装着が可能であり、該先端作動部の品種に対応する該識別部材を装着して識別させることができる。この結果、本考案の前記識別部材は、リユーザブルタイプの内視鏡手術用器具に対して汎用的に用いることができる。
【００１４】
さらに、前記識別部材は、前記シャフト部と前記操作部の間に固定されているため、患者の体内に挿入されることはなく、かつ、術者の手元から離れて位置することになり使用中に動くこともないので、内視鏡手術用器具を操作する際に操作の邪魔にならない。
【００１５】
また、本考案の識別部材は、同一の形状で異なる色彩が施されていることが好ましい。
【００１６】
前記識別部材は、内視鏡手術用具の種別を色彩の相違によって識別させることができる。この結果、前記識別部材によれば、同じ型で色彩を変えるだけでよいので、前記内視鏡手術用具の種別ごとに形状の異なる識別部材を製造する必要がなく、製造コストを削減することができる。
【００１７】
また、本考案の前記内視鏡手術用器具が鉗子であるときは、前記結合部は前記シャフト部の中心軸を中心に回動自在に形成され、術者が指を掛けて回動可能なように凹形の指掛け部が設けられ、前記被結合部はシャフト部の軸方向に対して垂直な方向において該指掛け部の外方に突出しない形状に形成されており、前記識別部材はシャフト部の軸方向に対して垂直な方向において該被結合部の外方に突出し、かつ、該指掛け部の外方に突出しない形状に形成されていることが好ましい。
【００１８】
かかる構成を備える識別部材は、前記被結合部の外方に突出しているので前記内視鏡手術用具の種別を識別させることができると共に、前記指掛け部の外方に突出しないため、該内視鏡手術用具の操作性を阻害することがない。
【図面の簡単な説明】
【００１９】
【図１】本実施形態の識別部材を示す説明図。
【図２】本実施形態の識別部材が鉗子に組み込まれた状態を示す側面図。
【図３】本実施形態の識別部材が鉗子に組み込まれた状態を示す正面図。
【図４】本実施形態の識別部材を組み込む過程を示す説明図。
【図５】本実施形態の識別部材の変形例を示す説明図。
【考案を実施するための形態】
【００２０】
次に、添付の図面を参照しながら本考案の実施の形態についてさらに詳しく説明する。
【００２１】
図１に示すように、本実施形態の識別部材１は、リユーザブルタイプの内視鏡手術用器具の種別の識別に用いる識別部材であって、リング形状の板状部材であり、略円形の貫通孔２と略半円形のスペース部２ａとを有している。
【００２２】
また、識別部材１は、例えば、直径２３mm、厚さ０．７mmであり、ポリフェニルサルフォンを原材料として形成され、それぞれ青、黄色、赤など複数の色に着色されている。
【００２３】
図２に示すように、本実施形態の識別部材１が装着される鉗子３（内視鏡手術用器具）は、把持部４（先端作動部）と、シャフト部５と、固定ノブ６（被結合部）と回転ノブ７（結合部）とハンドル部８（操作部）とを有する。
【００２４】
シャフト部５は、先端部において把持部４が接続され、後端部において固定ノブ６が備えられている。固定ノブ６は、回転ノブ７と螺合することにより、シャフト部５とハンドル部８とを固定する部材である。また、固定ノブ６は、前記螺合する際に力が入りやすいように、縦断面が略星形状に形成されている。
【００２５】
回転ノブ７は、術者が指を掛けて軸方向に回転させることにより、シャフト部５を介して把持部４の角度を調整するための部材である。また、回転ノブ７は、ハンドル部８の先端部において回動自在に装着されており、術者が指を掛けて回転させやすいように、外周部分に沿って凹形の指掛け部１０を有し、略星形状に形成されている。
【００２６】
識別部材１は、前記螺合をする固定ノブ６と回転ノブ７との間に狭持されることにより鉗子３に装着される。この部位は、術者が手術する際に見やすい位置にあるため、手術の際も容易に把持部４の種別を確認することができる。
【００２７】
また、本実施形態の識別部材１は、把持部４及びシャフト部５方向にはみ出さないため患者の体内に挿入されることがないと共に、ハンドル部８の術者が操作する位置から離れて存在しているため、鉗子３を用いて手術する際に邪魔にならない。
【００２８】
また、図３に示すように、識別部材１は、軸方向からみた場合に、指掛け部１０より小径かつ固定ノブ６の凹部より大径の円形状に形成されている。
【００２９】
この結果、本実施形態の識別部材１は、軸方向からみた場合に、指掛け部１０の外側にはみ出ないので、術者が、指掛け部１０に指を掛けて回転ノブ７を回転させる際に鉗子３の操作性を阻害することがない。また、本実施形態の識別部材１は、固定ノブ６によって完全に隠れることはなく一部が露出するので、鉗子３の種別を識別させることができる。
【００３０】
前記鉗子３の種別の識別方法は、例えば、青色は把持鉗子、黄色はハサミ鉗子、赤色は剥離鉗子などと、あらかじめ各術者及び病院で個別に決定することにより行うことができる。
【００３１】
また、図４に示すように、識別部材１は、貫通孔２がシャフト部５に挿通された状態で、回転ノブ７と固定ノブ６との螺合により狭持される。この場合において、貫通孔２は、環状部分が回転ノブ７の先端の雄ネジ部分に嵌着すると共に、上下左右の４箇所に存するスペース部２ａにより該嵌着を解除することが容易になっている。
【００３２】
したがって、識別部材１は、回転ノブ７と固定ノブ６とのネジ止めを解除することにより容易に交換することができる。この結果、本実施形態の識別部材１は、リユーザブルタイプの鉗子２の把持部４を交換した場合に、各種把持部の品種に対応する色彩の識別部材１を装着して識別させることができる。
【００３３】
なお、本実施形態の識別部材１は円形状になっているが、図５に示すように、識別部材１は、三角形状、四角形状のような他の形状であってもよい。また、識別部材１は、形状と色彩の組み合わせで鉗子３の種別を識別させてもよい。また、識別部材１は、模様により鉗子３の種別を識別させてもよい。
【００３４】
また、識別部材１は、多少厚くして見やすくしてもよい。
【００３５】
また、上記実施形態では、内視鏡手術用器具として鉗子を例にとり説明したが、シャフト部５が剛性を有する硬質の素材によって形成されたもの以外にも、フレキシブルタイプなどの柔軟性を有する鉗子以外の器具であってもよい。
【００３６】
このように、本実施形態の識別部材１はさまざまな器具に装着が可能なため、病院内で手術に用いられる多くの器具に装着し、統一した取扱いをすることができる。
【符号の説明】
【００３７】
１…識別部材、  ２…貫通孔、  ３…鉗子、  ４…把持部、  ５…シャフト部、  ６…固定ノブ、  ７…回転ノブ、  ８…ハンドル部、  １０…指掛け部。
【図１】
0003152591.tif 000003
【図２】
0003152591.tif 000004
【図３】
0003152591.tif 000005
【図４】
0003152591.tif 000006
【図５】
0003152591.tif 000007